【事件の表示】
　特許第３２２２７７５号「簡易型内視鏡装置」の請求項１ないし５に係る特許に対する特許異議の申立てについて、次のとおり決定する。
【結　論】
　訂正を認める。
　特許第３２２２７７５号の請求項１ないし５に係る特許を維持する。
【理　由】
１．手続の経緯
　特許第３２２２７７５号の請求項１〜５に係る発明は、平成８年７月２２日（優先権主張平成８年２月１４日）に特許出願され、平成１３年８月１７日にその特許権の設定登録がなされ、その後、オリンパス光学工業株式会社より特許異議の申立がなされ、取消の理由が通知され、その指定期間内である平成１４年９月１３日に訂正請求がなされたものである。
　
２．訂正の適否
２−１．訂正の内容
（１）発明の詳細な説明の段落【００１１】の「図３は、」を「図３は本発明の参考例を示しており、」に訂正する。
（２）発明の詳細な説明の段落【００５４】の「図６ないし図８は、本発明の第２の実施の形態を示しており、」を「図６ないし図８は、本発明の実施例を示しており、」に訂正する。
（３）発明の詳細な説明の段落【００５５】の「この第２の実施の形態においては、」を「この実施例においては、」に訂正する。
（４）発明の詳細な説明の段落【００５８】の「第２の実施の形態のその他の部分は、前述の第１の実施の形態と同様に構成されている。」を「この実施例のその他の部分は、前述の参考例と同様に構成されている。」に訂正する。
（５）図面の簡単な説明の【図１】、【図２】、【図３】、【図４】及び【図５】の「本発明の第１の実施の形態」を「本発明の参考例」に訂正する。
（６）図面の簡単な説明の【図６】、【図７】及び【図８】の「本発明の第２の実施の形態」を「本発明の実施例」に訂正する。
　
２−２．訂正の目的、新規事項の有無、及び特許請求の範囲の拡張・変更の存否
　訂正事項（１）〜（６）は、特許請求の範囲の記載との整合をとるために訂正するものであり、明りょうでない記載の釈明を目的とするものである。そして、訂正事項（１）〜（６）は、願書に添付した明細書又は図面に記載した事項の範囲内においてされたものであり、また、実質上特許請求の範囲を拡張し、又は変更するものではない。
　
２−３．むすび
　以上のとおりであるから、上記訂正は、特許法第１２０条の４第２項及び同条第３項において準用する特許法第１２６条第２項から第４項までの規定に適合するので、当該訂正を認める。
　
３．特許異議申立の概要
３−１．
　特許異議申立人オリンパス光学工業株式会社は、請求項１〜５に係る発明の特許は、特許法第１７条の２第３項の規定に違反してなされたものであるから、同法第１１３条第１号に該当し、取り消されるべきものである旨主張している。
３−２．
　同特許異議申立人は、請求項１〜５に係る発明の特許は、特許法第３６条第６項第１号の規定に違反してなされたものであるから、同法第１１３条第４号に該当し、取り消されるべきものである旨主張している。
３−３．
　同特許異議申立人は、証拠として
甲第１号証：実願昭５４−１４１１４５号（実開昭５６−５９００５号）
　　　　　　のマイクロフィルム
甲第２号証：特開平８−１０２２０号公報
を提出し、
本件請求項１〜５に係る発明は、甲第１号証、甲第２号証に記載された発明に基づいて当業者が容易に発明をすることができたものであり、特許法第２９条第２項の規定に違反するので、同法第１１３条第２号に該当し、特許を取り消されるべきものである旨主張している。
　
４．特許異議申立についての判断
４−１．請求項１〜５に係る発明
　本件特許第３２２２７７５号の請求項１〜５に係る発明は、訂正明細書の特許請求の範囲の請求項１〜５に記載された事項により特定される次のとおりのものである。
「【請求項１】
　被写体を照明する照明光を伝達するためのライトガイドの入射端部を操作部に配置すると共に、上記ライトガイドに照明光を供給するための光源ランプを有する照明光供給ユニットを上記操作部に着脱自在に接続した簡易型内視鏡装置において、
上記照明光供給ユニットは、上記光源ランプを内蔵して上記操作部に対して略垂直の向きに着脱自在に配置されたランプ室部と、上記光源ランプの電源となる電池を収容して上記ランプ室部の軸線を中心に所定の範囲内で回転自在に上記ランプ室部の軸線方向に対して略垂直の向きに上記ランプ室部の突端側に連結された電池室部とを有していて、
上記ランプ室部の上記操作部との接続部付近には、上記操作部に対する上記ランプ室部の軸線回りの向きを規制するための回転方向規制手段と、上記回転規制手段によって上記操作部に対して所定の向きに規制されて接続された上記ランプ室部を上記操作部に対して固定するための接続固定手段とが設けられていることを特徴とする簡易型内視鏡装置。
【請求項２】
　上記接続固定手段が、上記操作部に対して螺合するように上記ランプ室部の軸線回りに回転自在に設けられた締め環である請求項１記載の簡易型内視鏡装置。
【請求項３】
　上記電池室部が上記操作部から突出する突出部品と干渉しないように、上記電池室部の回転範囲が設定されている請求項１又は２記載の簡易型内視鏡装置。
【請求項４】
　上記電池室部が内視鏡観察時の観察者顔面と干渉しないように、上記電池室部の回転範囲が設定されている請求項１又は２記載の簡易型内視鏡装置。
【請求項５】
　上記光源ランプを点灯及び消灯させるためのスイッチ部材と、上記光源ランプの電源となる電池を上記電池室部に出し入れするための蓋部材の少なくとも一方が、上記電池室部の軸線回り方向に回転操作されるように上記電池室部に設けられている請求項１、２、３又は４記載の簡易型内視鏡装置。」
　
４−２．１７条の２違反について
　本件請求項１に記載された、照明光供給ユニットの「上記光源ランプを内蔵して上記操作部に対して略垂直の向きに着脱自在に配置されたランプ室部と、上記光源ランプの電源となる電池を収容して上記ランプ室部の軸線を中心に所定の範囲内で回転自在に上記ランプ室部の軸線方向に対して略垂直の向きに上記ランプ室部の突端側に連結された電池室部とを有し」という構成（以下、構成Ａという。）は、願書に最初に添付した明細書又は図面に記載した事項の範囲外のものであると、申立人は主張している。
　しかし、上記構成Ａは、本件の願書に最初に添付した明細書段落【００５５】及び【００５６】の「この第２の実施の形態においては、位置決めピン３８と係合するようにユニット接続口金２７の突端部に形成された規制溝１２８が、照明光供給ユニット３０をユニット接続口金２７の軸線回りに９０°回転させることができるように、周方同こ幅広に形成されている。その結果、図８に示されるように、照明光供給ユニット３０を、電池室部３０ｂが操作部２の後方向きになる状態から下向きになる状態の９０°の範囲で任意に回動させて、その時の操作の邪魔にならない位置にセットすることができる」という構成に該当していることが認められるので、申立人の主張は採用できない。
　よって、請求項１に係る発明の特許は、特許法第１７条の２第３項の規定に違反した出願に対してなされたものとすることができない。
　また、請求項２〜５に係る発明は、請求項１に係る発明に従属しているので、前述した請求項１に係る発明の特許と同様に、請求項２〜５に係る発明の特許は、特許法第１７条の２第３項の規定に違反した出願に対してなされたものとすることができない。
　
４−３．３６条違反について
　本件請求項１に記載された、上記構成Ａは、発明の詳細な説明に記載したものではないと、申立人は主張している。
　しかし、前述のとおり、請求項１に係る発明は、本件の願書に添付した明細書と図面中の第２の実施の形態に該当するものであり、かつ、訂正によって請求項１に係る発明が第２の実施の形態に対応することが明りょうになったので、請求項１に係る発明の特許は、特許法第３６条第６項第１号の規定に違反した出願に対してなされたものとすることができない。
　また、請求項２〜５に係る発明は、請求項１に係る発明に従属しているので、前述した請求項１に係る発明の特許と同様に、請求項２〜５に係る発明の特許は、特許法第３６条第６項第１号の規定に違反した出願に対してなされたものとすることができない。
　
４−４．２９条違反について
４−４−１．引用刊行物
　当審が通知した取消の理由に引用した刊行物には、以下の事項が記載されている。
刊行物１：実願昭５４−１４１１４５号（実開昭５６−５９００５号）
　　　　　のマイクロフィルム（甲第１号証）
刊行物２：特開平８−１０２２０号公報（甲第２号証）
　
　上記刊行物１には、以下の記載がある。
「（１）電池および照明ランプを内蔵する小型の光源装置を手元操作部に直接取り付ける硬性内視鏡において、光源装置の長手方向を手元操作部の長手方向に合わせてその光源装置を取り付けたことを特徴とする硬性内視鏡。
（２）上記照明ランプは、着脱自在に装着してなることを特徴とする実用新案登録請求の範囲第１項に記載の硬性内視鏡。」（実用新案登録請求の範囲）
「一方、手元操作部３の本体４には、上記口金１６を利用して後述する小型の光源装置１７が直接に取り付けられている。・・・また、口金１６の外周には突起２４が設けられており、これに対向してつば２１の内面には、軸方向に沿って長溝２５が形成されていて、突起２４が長溝２５に嵌まり込む状態で・・・第１図で示すようにその長手方向が手元操作部３の長手方向に一致する平行な状態に常に定まるようになっている。」（第３頁第２０行〜第５頁第３行）
　
　上記刊行物２には、以下の記載がある。
「【００２４】本体ケース３１の電池収容部の端部開口部には、プラスチック製の電池ケース蓋３９が着脱自在に螺合されており、・・・
【００２５】・・・
【００２６】なお、その配線の途中には光源ランプ３２への通電をオンオフ操作するためのスイッチが設けられている・・・。」
「【００３０】また、接続筒受け筒４６の外周側には、接続筒２３の雄ネジ２３ａに螺合する雌ネジ５０ａが形成された締め付け輪５０が軸方向に抜け出さないように取り付けられている。
【００３１】したがって、図１に示される状態から、照明光供給ユニット３０を操作部２側に接近させて、接続筒２３と接続筒受け筒４６のテーパ面どうしを密着させ、締め付け輪５０の雌ネジ５０ａを接続筒２３の雄ネジ２３ａに締め込めば、図３に示されるように、照明光供給ユニット３０が操作部２に接続された状態になる。」
「【００３４】　接続筒２３と接続筒受け筒４６とはテーパ面で密着するので、締め付け輪５０を接続筒２３に対してきつく締め込むことによって、照明光供給ユニット３０は操作部２に対して全く動かないように固定される。
【００３５】　しかし、締め付け輪５０の締め込みを少し緩めれば、照明光供給ユニット３０は照明光の光軸を中心にして自由に回動させることができる。したがって、図２にθで示される操作部２に対する照明光供給ユニット３０の取り付け角度を任意に調整し、その状態で締め付け輪５０をきつく締め込むことによって、照明光供給ユニット３０を最も使いやすい状態にセットすることができる。」　
　
４−４−２．対比・判断
　請求項１に係る発明と刊行物１又は２に記載された発明とを対比すると、請求項１に係る発明においては、ランプ室部を操作部に対して所定の範囲内で回転自在とし、ランプ室部の上記操作部との接続部付近に、上記操作部に対する上記ランプ室部の軸線回りの向きを規制するための回転方向規制手段が設けられているのに対し、刊行物１又は２に記載された発明では、そのようになっていない点において相違する。
　相違点について検討する。
　刊行物１に記載された発明の「突起２４」と「長溝２５」は、嵌合することで光源装置と手元操作部との配置関係を常に定まるようにするものであり、「所定の範囲」でその配置関係を可変にする技術思想はない。
　一方、刊行物２には、「図２にθで示される操作部２に対する照明光供給ユニット３０の取り付け角度を任意に調整し、その状態で締め付け輪５０をきつく締め込むことによって、照明光供給ユニット３０を最も使いやすい状態にセットすることができる。」と記載されるように、取り付け角度を任意に調整する技術思想はあるものの、その取り付け角度の設定に際しては、照明光供給ユニットの使いやすい状態である角度位置とするという程度に止まり、角度範囲を規制するまでの技術思想を導き出すことはできない。そして、請求項１に係る発明は、規制手段を有することで、向きを一定の「範囲内」で変化可能にし、また、照明光供給ユニットを操作部に着脱する際に、照明光供給ユニットがくるくる回らず、着脱に支障がなく、取り付け後の方向性にも問題が生じないという、刊行物１、２に記載された発明にはない効果を奏するものである。
　してみると、刊行物１又は２に記載された発明から請求項１に係る発明に至ることが、当業者にとって容易であるとはいえない。
　
５．むすび
　以上のとおり、請求項１に係る発明は刊行物１、２に記載された発明に基づいて当業者が容易に発明をすることができたものとすることはできない。
　また、請求項２〜５は請求項１を引用しているから、請求項２〜５に係る発明は、刊行物１、２に記載された発明に基づいて当業者が容易に発明をすることができたものとすることはできない。
　さらに、他に拒絶すべき理由を発見しない。
　よって、結論のとおり決定する。
【異議決定日】
平成１４年１０月２日（２００２．１０．２）
【訂正の要旨】
（１）発明の詳細な説明の段落【００１１】の「図３は、」を「図３は本発明の参考例を示しており、」に訂正する。
（２）発明の詳細な説明の段落【００５４】の「図６ないし図８は、本発明の第２の実施の形態を示しており、」を「図６ないし図８は、本発明の実施例を示しており、」に訂正する。
（３）発明の詳細な説明の段落【００５５】の「この第２の実施の形態においては、」を「この実施例においては、」に訂正する。
（４）発明の詳細な説明の段落【００５８】の「第２の実施の形態のその他の部分は、前述の第１の実施の形態と同様に構成されている。」を「この実施例のその他の部分は、前述の参考例と同様に構成されている。」に訂正する。
（５）図面の簡単な説明の【図１】、【図２】、【図３】、【図４】及び【図５】の「本発明の第１の実施の形態」を「本発明の参考例」に訂正する。
（６）図面の簡単な説明の【図６】、【図７】及び【図８】の「本発明の第２の実施の形態」を「本発明の実施例」に訂正する。
（５４）【発明の名称】
簡易型内視鏡装置
（５７）【特許請求の範囲】
　【請求項１】被写体を照明する照明光を伝達するためのライトガイドの入射端部を操作部に配置すると共に、上記ライトガイドに照明光を供給するための光源ランプを有する照明光供給ユニットを上記操作部に着脱自在に接続した簡易型内視鏡装置において、
　上記照明光供給ユニットは、上記光源ランプを内蔵して上記操作部に対して略垂直の向きに着脱自在に配置されたランプ室部と、上記光源ランプの電源となる電池を収容して上記ランプ室部の軸線を中心に所定の範囲内で回転自在に上記ランプ室部の軸線方向に対して略垂直の向きに上記ランプ室部の突端側に連結された電池室部とを有していて、
　上記ランプ室部の上記操作部との接続部付近には、上記操作部に対する上記ランプ室部の軸線回りの向きを規制するための回転方向規制手段と、上記回転規制手段によって上記操作部に対して所定の向きに規制されて接続された上記ランプ室部を上記操作部に対して固定するための接続固定手段とが設けられていることを特徴とする簡易型内視鏡装置。
　【請求項２】上記接続固定手段が、上記操作部に対して螺合するように上記ランプ室部の軸線回りに回転自在に設けられた締め環である請求項１記載の簡易型内視鏡装置。
　【請求項３】上記電池室部が上記操作部から突出する突出部品と干渉しないように、上記電池室部の回転範囲が設定されている請求項１又は２記載の簡易型内視鏡装置。
　【請求項４】上記電池室部が内視鏡観察時の観察者顔面と干渉しないように、上記電池室部の回転範囲が設定されている請求項１又は２記載の簡易型内視鏡装置。
　【請求項５】上記光源ランプを点灯及び消灯させるためのスイッチ部材と、上記光源ランプの電源となる電池を上記電池室部に出し入れするための蓋部材の少なくとも一方が、上記電池室部の軸線回り方向に回転操作されるように上記電池室部に設けられている請求項１、２、３又は４記載の簡易型内視鏡装置。
【発明の詳細な説明】
　【０００１】
　【発明の属する技術分野】
　この発明は、ライトガイドに照明光を供給するための照明光供給ユニットが操作部に着脱自在に連結された簡易型内視鏡装置に関する。
　【０００２】
　【従来の技術】
　操作部に照明用の発光体を設けたいわゆる簡易型内視鏡装置では、一般に、被写体を照明する照明光を伝達するためのライトガイドの入射端部が内視鏡の操作部に配置されていて、その操作部に、ライトガイドに照明光を供給するための光源ランプとその電源となる電池等を内蔵した照明光供給ユニットが着脱自在に取り付けられている。
　【０００３】
　従来、そのような照明光供給ユニットの着脱は、照明光供給ユニットの先端近傍に設けられたネジマウントを、操作部側の受け口金に形成されたネジ部に螺合させて行われていた。
　【０００４】
　【発明が解決しようとする課題】
　しかし、ネジマウントは照明光供給ユニットに固定されているので、照明光供給ユニットが操作部に取り付けられた状態で、照明光供給ユニットに設けられたスイッチを操作したり電池交換操作等を行うと、照明光供給ユニット全体が回転して、操作部に対する連結状態が緩んでしまったり、逆に強く締まりすぎて後で外れ難くなってしまう場合がある。
　【０００５】
　また、照明光供給ユニットを操作部に着脱する際に、照明光供給ユニット全体がくるくる回ってしまうことにより、ユニットの一部突出部が手にぶつかって着脱操作がやり難かったり、突出部が不都合な方向に向いた状態に取り付けられてしまう場合があった。
　【０００６】
　そこで本発明は、操作部に対する照明光供給ユニットの着脱が容易であり、且つその連結状態が安定していて、操作部に取り付けられた状態の照明光供給ユニットに対して各種操作を行っても、操作部に対する連結状態が乱れない簡易型内視鏡装置を提供することを目的とする。
　【０００７】
　【課題を解決するための手段】
　上記の目的を達成するため、本発明の簡易型内視鏡装置は、被写体を照明する照明光を伝達するためのライトガイドの入射端部を操作部に配置すると共に、上記ライトガイドに照明光を供給するための光源ランプを有する照明光供給ユニットを上記操作部に着脱自在に連結した簡易型内視鏡装置において、上記操作部に対する上記照明光供給ユニットの、接続部の軸線回りの向きを規制するための回転方向規制手段と、上記回転規制手段によって上記操作部に対して所定の向きに規制されて接続された上記照明光供給ユニットを、上記操作部に対して固定するための接続固定手段とを設けたことを特徴とする。
　【０００８】
　なお、上記接続固定手段が、上記操作部に対して螺合するように上記照明光供給ユニットに回転自在に設けられた締め環であってもよい。
　【０００９】
　また、上記照明光供給ユニットが、所定の範囲内で向きを変化させて上記操作部に対して連結固定可能であってもよい。その場合、上記照明光供給ユニットが上記操作部から突出する突出部品と干渉しないように、上記所定の範囲が設定されていてもよく、上記照明光供給ユニットが内視鏡観察時の観察者顔面と干渉しないように、上記所定の範囲が設定されていてもよい。
　【００１０】
　そして、上記照明光供給ユニットが、上記操作部に対する接続部の軸線方向に対して垂直な方向に部分的に突出する形状に形成されていてもよい。
　また、上記光源ランプを点灯及び消灯させるためのスイッチ部材と、上記光源ランプの電源となる電池を上記照明光供給ユニットに出し入れするための蓄部材の少なくとも一方が、上記接続部の軸線回り方向に回転操作されるように上記照明光供給ユニットに設けられていてもよい。
　【００１１】
　【発明の実施の形態】
　図面を参照して本発明の実施の形態を説明する。図３は
本発明の参考例を示しており
　【００１２】
　操作部２の下側約４分の３の部分は握り部２ａであり、その握り部２ａと挿入部１との間に、鉗子挿入口部４が斜め前方に向けて突出して設けられている。３は、気密に構成された内視鏡の内部の圧力を調整するための圧力調整弁である。
　【００１３】
　操作部２の握り部２ａより上方の操作機構部５には、挿入部１内に挿通された鉗子チャンネル（図示せず）を通して吸引操作を行うための吸引操作弁６と、挿入部１の先端部分に形成された湾曲部（図示せず）を遠隔的に屈曲操作するための湾曲操作レバー７とが前面と後面に配置され、接眼部８が上面に突設されている。
　【００１４】
　被写体を照明する照明光を伝達するための照明用ライトガイドファイババンドル９は、入射端部が操作機構部５内に配置されていて、操作部２の握り部２ａ内から挿入部１内を通って、射出端部は挿入部１の先端に配置されている。
　【００１５】
　そして、ライトガイドファイババンドル９に対して照明光を供給するための照明光供給ユニット３０が、操作機構部５の側面部分に着脱自在に接続、連結されて側方に突出している。
　【００１６】
　図４に示されるように、照明光供給ユニット３０には、ライトガイドファイババンドル９に供給するための照明光を放射する光源ランプ３２と、その光源ランプ３２を点灯させるための電源である電池１００等が内蔵されている。電池１００としては、乾電池または充電可能なニッケルカドミウム電池等どのような電池を用いてもよい。
　【００１７】
　電池１００は、照明光供給ユニット３０の端部に着脱自在に取り付けられたキャップ部５０を外すことにより交換自在であり、電池１００に代えて、交流／直流変換アダプタなどを接続してもよい。
　【００１８】
　図５は、照明光供給ユニット３０が操作部２から取り外された状態を示している。操作部２側には、後述するようにユニット接続口金２７が突設されていて、その突端部分に雄ネジ部２７ａが形成されている。２６は、プラスチック製のカバー筒である。
　【００１９】
　一方、照明光供給ユニット３０には、操作部２側の雄ネジ部２７ａと螺合する雌ネジが内面部分に形成された締め環３７が、軸線周りに回転自在に設けられている。
　【００２０】
　そして照明光供給ユニット３０には、ユニット接続口金２７の突端部分に形成された規制溝２８に嵌まる位置決めピン３８が突設されていて、照明光供給ユニット３０が操作部２に接続されて連結固定される際の操作部２に対する照明光供給ユニット３０の向き（接続部の軸線回りの向き）の規制が行われるようになっている。２５は、位置合わせ用の指標である。
　【００２１】
　図１は、操作部２と照明光供給ユニット３０との連結部付近を示しており、操作部２の操作機構部５部分を外装する本体ケース１１は、電気絶縁性のプラスチックにより形成されている。
　【００２２】
　本体ケース１１に大きく形成された側面開口には、電気絶縁性のプラスチックからなる蓋体１５が嵌め込まれ、その嵌合面にはシール用のＯリング１６が装着されていて、隙間から操作部２の内部に水が侵入しないようになっている。
　【００２３】
　また、蓋体１５と本体ケース１１との嵌合部には、両者の相対的回転を規制するための回転止め（図示せず）が形成されている。なお、Ｏリング１６は装着されることによって潰されるが、図には潰される前の自然状態の断面が示されている（以下、同じ）。
　【００２４】
　蓋体１５の中央部分に穿設された貫通孔の中心軸位置には、基部が操作部２内の金属フレーム１３に固定された支持筒１７が配置されている。そして、支持筒１７の頭部に螺合するナット１４によって、接続口金受け１８が蓋体１５に押圧固定されている。ただし、接続口金受け１８とナット１４との間には、両者が接触しないように電気絶縁性のプラスチックからなる絶縁座１９が介装されている。
　【００２５】
　接続口金受け１８は蓋体１５の外表面に大きく開口しており、そこに、照明光供給ユニット３０を受ける（連結接続する）ために筒状に形成されて外方に向けて突出する例えばステンレス鋼製のユニット接続口金２７の基部が、ビス止め固定されている。そして、ユニット接続口金２７と接続口金受け１８の外周面を被覆するように、熱伝導率の低いプラスチック製のカバー筒２６が取り付けられている。
　【００２６】
　ユニット接続口金２７の底部の中心軸線位置には、ライトガイドファイババンドル９の入射端部がネジ止め固定されている。そして、ライトガイドファイババンドル９の入射端面に対向して、凸メニスカスレンズ２０が、ユニット接続口金２７の底面部分に螺合する押さえナット２１によって固定されている。
　【００２７】
　なお、蓋体１５の孔の内側に配置された各部材間の嵌合部には、シール用のＯリングが装着されていて、操作部２は、全ての部分において外部から水が侵入しない水密構造に構成されている。挿入部１が同様に水密構造に形成されていることは勿論である。
　【００２８】
　照明光供給ユニット３０は、全体として真っ直ぐな筒状に形成されていて、操作部２との連結部に近いランプ室部３０ａと、操作部２との連結部から離れた電池室部３０ｂとに分かれており、図１にはランプ室部３０ａの全体が示されている。
　【００２９】
　ユニット接続口金２７内に嵌合するランプ室ケース３５の先端部分の内側には、光源ランプ３２から放射された照明光をライトガイドファイババンドル９の入射端面に向けて収束させるための反射鏡３４が、光源ランプ３２を囲むように固定されている。
　【００３０】
　そして、その反射鏡３４の前端面には、透明なカバーガラス４９が押さえナット４０によって固定されている。カバーガラス４９の内端外縁部にはＯリング４８が装着されていて、外部からランプ室ケース３５内に水が侵入しないように封止されている。
　【００３１】
　光源ランプ３２から後方に突出する２本の電極は、ソケット３３内に挿入されてその後方の接続ピンに電気的に接続されており、各接続ピンは、絶縁座４４を間に挟んで配置された二つの導電部材４３ａ，４３ｂに分かれて固定されている。
　【００３２】
　その一方の導電部材４３ａには、電池１００のプラス電極が常時接触している。そしてもう一方の導電部材４３ｂには、電池室ケース３１が、電気的にも接続される状態で螺合連結されていて、それによって導電部材４３ａと絶縁板４４が電池室ケース３１に固定されている。
　【００３３】
　３６は、ランプ室ケース３５と電池室ケース３１とを連結するように両部材に対して螺合固定された連結筒であり、ソケット３３は連結筒３６と導電部材４３ｂとの間に、絶縁部材を介して挟み込まれて固定されている。位置決めピン３８は、この連結筒３６に突設されている。
　【００３４】
　４５，４６は、ランプ室ケース３５と連結筒３６との間及び電池室ケース３１と連結筒３６との間の嵌合面をシールするためのＯリングである。なお、連結筒３６の先端側部分はユニット接続口金２７内に嵌挿される。
　【００３５】
　締め環３７は、先端部分がその他の部分より少し細い径に形成されていて、その部分に、ユニット接続口金２７の雄ネジ部２７ａと螺合する雌ネジ部３７ａが螺設されている。
　【００３６】
　また、締め環３７の中間部分の内周面には、電池室ケース３１の外周面に回転自在に嵌合する環状部材３９がネジ止め固定されており、連結筒３６に突設された鍔部３６ａが、環状部材３９と雌ネジ部３７ａとの間に緩く挟まれている。
　【００３７】
　したがって、締め環３７は軸線方向にはほとんど動かないが、軸線回りには回転自在であり、締め環３７を回転させることによって、その先端部分に形成された雌ネジ部３７ａを、ユニット接続口金２７の雄ネジ部２７ａと螺合させ、あるいは螺合状態を解くことができる。
　【００３８】
　したがって、操作部２に突設されたユニット接続口金２７内に照明光供給ユニット３０の先端のランプ室ケース３５を差し込み、位置決めピン３８が規制溝２８内に嵌まるように回転方向の位置を合わせた状態で締め環３７を回転させ、締め環３７の雌ネジ部３７ａをユニット接続口金２７の突端の雄ネジ部２７ａに螺合させて適度に締め付ければ、照明光供給ユニット３０が操作部２に連結された状態になる。その状態では、連結筒３６の先端側部分もユニット接続口金２７内に嵌合し、その嵌合面がＯリング４１によってシールされる。
　【００３９】
　そのようにして、照明光供給ユニット３０が操作部２に連結された状態においては、光源ランプ３２から放射された照明光が、反射鏡３４で反射されたあと、カバーガラス４９及び凸メニスカスレンズ２０を通過して、ライトガイドファイババンドル９の入射端面に収束、入射する。そして、ユニット受け口金２７と締め環３７との螺合を解けば、図５に示されるように照明光供給ユニット３０が操作部２から取り外される。
　【００４０】
　図２は、電池室部３０ｂを示している。電池１００を収容した筒状の電池室ケース３１の端部には、キャップ部５０が着脱自在に螺合されており、このキャップ部５０には、電池１００と光源ランプ３２との間の通電をオン、オフさせるためのスイッチが組み込まれている。
　【００４１】
　５１は、良導電性の金属からなるキャップ部本体であり、電池室ケース３１の端部外周面とキャップ部本体５１の内周面との嵌合部には、シール用のＯリング５３が装着されていて、そこから内部に水が入らないようになっている。
　【００４２】
　キャップ部本体５１内には、キャップ部本体５１に一端が受けられた第１の圧縮コイルスプリング５５が、軸線方向に移動自在に設けられた押し環５６を介して、電池１００をランプ室部３０ａの方向に付勢している。これによって、電池１００のプラス電極と導電部材４３ａとの接触が確保されている。
　【００４３】
　第１の圧縮コイルスプリング５５は電池１００と同軸に配置されていて、押し環５６は、電池１００のマイナス電極に接触しないように、電池１００の周縁部に当接している。５７は、滑りのよいリング状の座金である。
　【００４４】
　また、キャップ部本体５１の内側には、キャップ部５０の軸線を中心に回転自在な回転カム筒６３が嵌合しており、キャップ部５０の突端側に突出する回転カム筒６３の頭部には、スイッチ操作環６４が螺合接着されて一体的に連結されている。スイッチ操作環６４は、ほぼ椀状に形成されてキャップ部５０の端部を囲むように配置されている。６５は飾り板である。
　【００４５】
　回転カム筒６３の頭部部分はキャップ部本体５１の端部内周面に回転自在に嵌合しており、その嵌合部にはシール用のＯリング６７が装着されている。このようにして、照明光供給ユニット３０は、全ての部分において外部から水が侵入しない水密構造に構成されている。
　【００４６】
　５８は、電池１００のマイナス電極に接触する可動接点部材であり、良導電性金属からなる剛体によって底面を有する筒状に形成されていて、軸方向に進退自在に回転カム筒６３内に嵌挿されている。
　【００４７】
　そして、可動接点部材５８の底面に形成された接点が、第２の圧縮コイルスプリング６６によって付勢されて、電池１００のマイナス電極の中央部分に押し付けられている。
　【００４８】
　可動接点部材５８の外周面に突設された良導電部材からなる一対のガイドピン５９は、回転カム筒６３に形成されたカム溝６３ａ内を貫通して、キャップ部本体５１に軸方向に形成された長溝５４ａに係合している。
　【００４９】
　したがって、ガイドピン５９と長溝５４ａとの係合によって、可動接点部材５８は軸線回りには回転せず、スイッチ操作環６４を回転操作すると、それと共に回転カム筒６３が軸線回りに回転して、可動接点部材５８と一体のガイドピン５９がカム溝６３ａによって軸線方向に変位し、可動接点部材５８が電池１００のマイナス電極と接触するオン状態と、離れるオフ状態とが切り換わる。
　【００５０】
　６０は、ガイドピン５９の頭部に当接してキャップ部本体５１との間の電気的導通を確保するための板バネである。スイッチオン状態においては、電池１００のマイナス電極が、可動接点部材５８、ガイドピン５９、板バネ６０、キャップ部本体５１、電池室ケース３１などを介して、マイナス側導電部材４３ｂに電気的に導通する。
　【００５１】
　電池１００が消耗したときは、キャップ部本体５１を軸線回りに回転させることにより、キャップ部５０全体が照明光供給ユニット３０から外れるので、電池１００を容易に交換することができる。なお、キャップ部本体５１を回転させる際に電池室ケース３１を保持し易いように、電池室ケース３１には目の粗いローレット部４７が太めに形成されている。
　【００５２】
　このようにして、スイッチ操作環６４を回転操作したり、キャップ部本体５１を回転させたりすると、その際に電池室ケース３１に対しても回転力が作用するが、電池室ケース３１に連結固定された連結筒３６と操作部側のユニット接続口金２７とが、位置決めピン３８と規制溝２８との係合によって回転不能に係合しているので、電池室ケース３１は回転しない。
　【００５３】
　そして、仮に電池室ケース３１が少し回転したとしても、ユニット接続口金２７の雄ネジ部２７ａと螺合する締め環３７の雌ネジ部３７ａには回転力は全く伝わらないので、操作部２に対する照明光供給ユニット３０の連結状態には全く影響しない。
　【００５４】
　図６ないし図８は、本発明の
実施例
　【００５５】
　この
実施例
　【００５６】
　その結果、図８に示されるように、照明光供給ユニット３０を、電池室部３０ｂが操作部２の後方向きになる状態から下方向きになる状態の９０°の範囲で任意に回動させて、その時の操作の邪魔にならない位置にセットすることができる。また、照明光供給ユニット３０を操作部２に着脱する際に、電池室部３０がぐるぐる回転しないので、着脱を容易に行うことができる。
　【００５７】
　なお、電池室ケース１３１の回動範囲は、照明光供給ユニット３０が吸気操作弁６近傍に突出して設けられた送水管取付部と干渉しないように、また接眼部８に近づけた観察者の顔と干渉しないように設定されている。
　【００５８】
　
この実施例
参考例
　【００５９】
　【発明の効果】
　本発明によれば、操作部に対する照明光供給ユニットの回転を回転方向規制手段で規制した状態で、接続固定手段により照明光供給ユニットを操作部に対して接続、固定することができるので、操作部に連結された状態の照明光供給ユニットに対して各種操作を行っても、操作部に対する照明光供給ユニットの連結状態が乱れず、操作部に対する照明光供給ユニットの取り付け状態が非常に安定している。そして、その向きを一定の範囲内で変化可能にすることもできる。
　【００６０】
　また、照明光供給ユニットを操作部に着脱する際に、照明光供給ユニットがくるくる回らないので、ユニットが部分的に側方に突出しているような形状であっても着脱に支障がなく、取り付け後の方向性にも問題が生じない。
【図面の簡単な説明】
　【図１】
　本発明の
参考例
　【図２】
　本発明の
参考例
　【図３】
　本発明の
参考例
　【図４】
　本発明の
参考例
　【図５】
　本発明の
参考例
　【図６】
　本発明の
実施例
　【図７】
　本発明の
実施例
　【図８】
　本発明の
実施例
　【符号の説明】
　２　操作部
　２７　ユニット接続口金
　２７ａ　雄ネジ部
　２８，１２８　規制溝
　３０　照明光供給ユニット
　３２　光源ランプ
　３７　締め環
　３７ａ　雌ネジ部
　３８　位置決めピン